(57)【特許請求の範囲】
【請求項１】
側溝の上面に載置されるインサートグレーチングを埋設した蓋体において、前記インサートグレーチングを略長方形状で断面略門形状に立体形成し、その両下端から外方に突出する補強板を形成し、その上面に長方形状の雨水流通孔をインサートグレーチングの長手方向に多数直列に形成し、前記各雨水流通孔の境界板を前記補強板よりも上位部位まで形成し、インサートグレーチングを合成樹脂で一体成形し、該インサートグレーチングをコンクリート蓋体の上面部位に埋設させ、前記補強板を上下方向からコンクリートで挟持させ、この埋設されたインサートグレーチングの下方に側溝に向けて孔を形成したことを特徴とするインサートグレーチングを埋設した側溝用蓋体。
【発明の詳細な説明】
【０００１】
【発明の属する技術分野】
本発明は、例えばＵ字状の側溝の上面に載置されるインサートグレーチングを埋設した蓋体に関するものである。
【０００２】
【従来の技術】
従来、蓋付側溝において、その蓋体の平坦部に貫通孔を穿設しその上部にグレーチングを設置した側溝用蓋体がある（例えば、特許文献１参照。）。
【０００３】
【特許文献１】
実公平８ー１１０８３号公報
【０００４】
【発明が解決しようとする課題】
ところで、前記公知のものでは、蓋体の上部にグレーチングが設置されていることから、グレーチングの補強板等が上下方向からコンクリートで挟持されていないと共に、長期の使用により蓋体からグレーチングが剥がれてしまう虞がある。
【０００５】
本発明は、従来の技術の有するこのような問題点に鑑みてなされたものであり、その目的とするところは、蓋体の製作が簡単・容易で、インサートグレーチングが確実に蓋体に埋設，保持され、腐り難く，抜け難く長期使用にも耐え、雨水排水能力も優れ、外部から側溝に大きなゴミ，石等の浸入も防止し得るインサートグレーチングを埋設した側溝用蓋体を提供しようとするものである。
【０００６】
【課題を解決するための手段】
上記目的を達成するために、本発明におけるインサートグレーチングを埋設した側溝用蓋体は、インサートグレーチングを略長方形状で断面略門形状に立体形成し、その両下端から外方に突出する補強板を形成し、その上面に長方形状の雨水流通孔をインサートグレーチングの長手方向に多数直列に形成し、前記各雨水流通孔の境界板を前記補強板よりも上位部位まで形成し、インサートグレーチングを合成樹脂で一体成形し、該インサートグレーチングをコンクリート蓋体の上面部位に埋設させたことを特徴とするものである。
【０００７】
【発明の実施の形態】
図１ないし図４は本発明に係るインサートグレーチングを埋設した側溝用蓋体の実施例に関するものであり、図１は本発明の実施例に係るインサートグレーチングを埋設した側溝用蓋体の平面図、図２は図１のＡ−Ａ拡大断面図、図３はインサートグレーチングの平面図、図４は図３のＢ−Ｂ断面図を示すものである。
【０００８】
図において、１はインサートグレーチングを埋設した側溝用蓋体であり、該蓋体１はコンクリートにより例えば側面視略Ｖ字状に成形され、仮想線で示すようなＵ字状等の側溝２の上面に載置されるようになっている。
【０００９】
前記蓋体１の上面は該蓋体１の長手方向の両辺から中央部側に向けて下降している傾斜面となっており、該傾斜面の下部位近傍に蓋体１の長手方向と平行してインサートグレーチング３が蓋体１の上面部位に埋設され、該埋設されたインサートグレーチング３の下方には孔４が形成されている。また、前記蓋体１の両端底部には前記側溝２と嵌合される切欠部５，５が形成されている。
【００１０】
前記インサートグレーチング３は略長方形状で断面略門形状に立体形成され、その両下端から外方に突出する補強板６，６，…が形成され、その上面に長方形状の雨水流通孔７，７，…がインサートグレーチング３の長手方向に多数直列に形成され、前記各雨水流通孔７，７，…の境界板８，８，…が前記補強板６，６，…よりも上位部位まで形成されて、例えば強化プラスチック等の合成樹脂で一体成形されている。
【００１１】
以上のような構成からなるインサートグレーチングを埋設した側溝用蓋体１において、本実施例ではインサートグレーチング３を一つ埋設させているが、該蓋体１の成形時に前記インサートグレーチング３を蓋体１の横方向の長さにより適宜の数を決めて、蓋体１の成形用の型に該インサートグレーチング３を複数個設置することが可能である。そして該型にコンクリートを流し込む際に、前記インサートグレーチング３の内周に中子を設置して前記蓋体１に孔４を形成することができるが、このとき前記各雨水流通孔７，７，…の境界板８，８，…が前記補強板６，６，…よりも上位部位まで形成されていることにより、該中子を各雨水流通孔７ごとに設ける必要がなく一つの中子でインサートグレーチング３全体に大きな孔４を形成することができ、蓋体１の製作が簡単・容易である。また、インサートグレーチング３は略長方形状で断面略門形状に立体形成され、その両下端から外方に突出する補強板６，６，…が形成されていることから、該インサートグレーチング３はコンクリートの蓋体１の上面部位に補強板６，６，…が上下方向からコンクリートで挟持されて確実に埋設され、インサートグレーチング３の抜け防止にもなると共に、該インサートグレーチング３が合成樹脂で一体成形されていることから腐り難く、長期使用にも耐え得るものとなる。
そして、例えば車道と歩道の境界部位に車道等と平行に設置された側溝２の上面に蓋体１を載置する場合、蓋１の両端底部に形成された切欠部５，５を前記側溝２の上部と嵌合するだけで容易に蓋体１を側溝２に載置することができる。
【００１２】
また、例えば大雨の際、雨水は前記インサートグレーチング３の雨水流通孔７，７，…により側溝２内に放出されて、車道等に水が溜まり難くなり車道を通る車等の交通の妨げを少なくするものであると共に、各孔７が細孔であるので外部からの大きなゴミ，石等の浸入が防止されて、側溝２の詰まり及び傷みも防止される。
【００１３】
【発明の効果】
本発明に係るインサートグレーチングを埋設した側溝用蓋体は、インサートグレーチングを略長方形状で断面略門形状に立体形成し、その両下端から外方に突出する補強板を形成し、その上面に長方形状の雨水流通孔をインサートグレーチングの長手方向に多数直列に形成し、前記各雨水流通孔の境界板を前記補強板よりも上位部位まで形成し、インサートグレーチングを合成樹脂で一体成形し、該インサートグレーチングをコンクリート蓋体の上面部位に埋設させたので、蓋体の製作が簡単・容易で、インサートグレーチングが確実に蓋体に埋設，保持され、腐り難く，抜け難く長期使用にも耐え、雨水排水能力も優れ、外部から側溝に大きなゴミ，石等の浸入も防止し得るインサートグレーチングを埋設した側溝用蓋体となる。
【図面の簡単な説明】
【図１】図１は本発明の実施例に係るインサートグレーチングを埋設した側溝用蓋体の平面図である。
【図２】図２は図１のＡ−Ａ拡大断面図である。
【図３】図３はインサートグレーチングの平面図である。
【図４】図４は図３のＢ−Ｂ断面図である。
【符号の説明】
１            インサートグレーチングを埋設した側溝用蓋体
２            側溝
３            インサートグレーチング
６            補強板
７            雨水流通孔
８            境界板
【図１】
0003666814.tif 000002
【図２】
0003666814.tif 000003
【図３】
0003666814.tif 000004
【図４】
0003666814.tif 000005